(57)【要約】【課題】回転体を含む部品を容易に固定することができ、部品の固定の信頼性の経時的な低下を抑えることができる、回転体を有する部品の取付構造およびプロジェクターを提供する。【解決手段】回転体１を有する部品２の取付構造が、部品２に設けられている、弾性を有するクッション部３と、部品２を収容するホルダ５と、ホルダ５に形成されているか、またはホルダ５に取り付けられている、クッション部３と当接する当接部６Ａ，６Ｂと、を有する。【選択図】図１
2020086001.tif 000002
【特許請求の範囲】
【請求項１】
回転体を有する部品の取付構造であって、
前記部品に設けられている、弾性を有するクッション部と、
前記部品を収容するホルダと、
前記ホルダに形成されているか、または前記ホルダに取り付けられている、前記クッション部と当接する当接部と、
を有する、回転体を有する部品の取付構造。
【請求項２】
前記クッション部は凸状の係合部であり、前記当接部は溝状の被係合部である、請求項１に記載の回転体を有する部品の取付構造。
【請求項３】
複数の前記クッション部を有し、前記クッション部は凸状の係合部であり、少なくとも１つの前記クッション部と当接する前記当接部は溝状の被係合部であり、他の前記クッション部と当接する前記当接部は、前記ホルダに取り付けられるブラケットに設けられた穴状の被係合部である、請求項１に記載の回転体を有する部品の取付構造。
【請求項４】
前記ホルダには収容凹部が設けられており、前記部品は前記収容凹部内に収容され、前記部品が前記収容凹部内に収容された状態で、前記クッション部は前記当接部に当接する、請求項１から３のいずれか１項に記載の回転体を有する部品の取付構造。
【請求項５】
前記クッション部は、前記当接部に当接した状態で少なくとも一部が弾性変形状態に保持されている、請求項１から４のいずれか１項に記載の回転体を有する部品の取付構造。
【請求項６】
前記回転体は羽根部材であり、前記部品は、前記羽根部材と、前記羽根部材を内蔵する筐体と、を含むファン装置である、請求項１から５のいずれか１項に記載の回転体を有する部品の取付構造。
【請求項７】
前記筐体には吐出口が設けられており、前記吐出口の周囲にクッション材が貼り付けられている、請求項６に記載の回転体を有する部品の取付構造。
【請求項８】
光源と、前記光源からの光が入射されて画像を外部に投射する光学機構と、前記光学機構の少なくとも一部に送風するファン装置と、請求項１から７のいずれか１項に記載の回転体を有する部品の取付構造と、を含むプロジェクター。
【発明の詳細な説明】
【技術分野】
【０００１】
本発明は、回転体を有する部品の取付構造およびプロジェクターに関する。
【背景技術】
【０００２】
例えばプロジェクターのような電子装置において、回転体を有する部品、一例としては回転する羽根部材を有する冷却用のファン装置などの部品を備えたものがある。このような電子装置では、部品の振動が、取り付け部を介して装置本体に伝播し、装置本体が振動する。このように部品から装置本体に振動が伝播すると、装置本体に実装された他の部品も振動して装置の性能が低下したり、騒音や異音を発生して周囲の環境を悪化させたりするおそれがある。
【０００３】
一般的には、特許文献１に開示されている発明のように、回転体を収容する筐体が、ねじを用いて装置本体に直接固定されている。筐体と装置本体には、ねじが挿通されるねじ穴が予め設けられている。
【先行技術文献】
【特許文献】
【０００４】
【特許文献１】特開２０１８−１７９５２号公報
【発明の概要】
【発明が解決しようとする課題】
【０００５】
特許文献１に記載されている発明では、筐体および装置本体のねじ穴に合わせて特定のねじしか使用できず、筐体取付以外の様々な用途に用いられる他のねじとの共通化および互換性を実現することは容易ではない。また、ファン装置等の部品と装置本体の振動がねじに伝わり、ねじが徐々に緩んで筐体の固定の信頼性が経時的に低下する可能性がある。
【０００６】
そこで、本発明の目的は、回転体を含む部品を容易に固定することができ、部品の固定の信頼性の経時的な低下を抑えることができる、回転体を有する部品の取付構造およびプロジェクターを提供することにある。
【課題を解決するための手段】
【０００７】
本発明の回転体を有する部品の取付構造は、部品に設けられている、弾性を有するクッション部と、部品を収容するホルダと、ホルダに形成されているか、またはホルダに取り付けられている、クッション部と当接する当接部と、を有する。
【発明の効果】
【０００８】
本発明の回転体を有する部品の取付構造およびプロジェクターによると、回転体を含む部品を容易に固定することができ、部品の固定の信頼性の経時的な低下を抑えることができる。
【図面の簡単な説明】
【０００９】
【図１】本発明の一実施形態の回転体を有する部品の取付構造を示す分解斜視図である。
【図２】本発明の他の実施形態の回転体を有する部品の取付構造を示す分解斜視図である。
【図３】図２に示す回転体を有する部品の取付構造のブラケットを下方から見た斜視図である。
【図４】図２に示す回転体を有する部品の取付構造の、部品を取り付けた状態を示す斜視図である。
【図５】比較例の回転体を有する部品の取付構造を示す分解斜視図である。
【図６】図２に示す回転体を有する部品の取付構造を含むプロジェクターの要部を模式的に示す概略図である。
【図７】図６に示すプロジェクターの内部構造を示す斜視図である。
【発明を実施するための形態】
【００１０】
以下、本発明の実施の形態について図面を参照して説明する。
まず、本発明の回転体を有する部品の取付構造の一実施形態について、図１を参照して説明する。本実施形態の回転体１を有する部品２の取付構造は、部品２に設けられている弾性を有するクッション部３と、部品２を収容するホルダ５と、ホルダ５に形成されているか、またはホルダ５に取り付けられている、クッション部３と当接する当接部６Ａ，６Ｂとを有する。
【００１１】
次に、本発明の回転体を有する部品の取付構造のより詳細な実施形態を説明する。図２に示すように、本発明の部品の一例であるファン装置（ブロアーファン装置）２が、回転体である羽根部材１と、羽根部材１を内蔵する筐体７とを有する。ブロアーファン装置２は、吸気口４の吸気方向（半径方向）と吐出口１０の排気方向（円周の延長線方向）とが互いに直交し、高静圧を特徴とするファン装置である。筐体７には、弾性を有するクッション部３が設けられている。本実施形態では、樹脂からなる２つのクッション部３が筐体７に設けられている。本実施形態のクッション部３は中空の凸状の係合部であり、中空部分を縮小させながら撓むように弾性変形することができる。筐体７には吐出口１０が設けられており、吐出口１０の周囲にクッション材１１が貼り付けられている。
【００１２】
ファン装置２を収容するホルダ５が、図示しない装置本体に取り付けられている。図２に示すように、本実施形態では、３つのファン装置２を収容するために３つの収容凹部８を有するホルダ５が設けられている。そして、このホルダ５の各収容凹部８には、当接部である溝状の被係合部６Ａが設けられている。また、ホルダ５に取り付けられるブラケット９に、もう１つの当接部である穴状の被係合部６Ｂが設けられている。穴状の被係合部６Ｂは、ブラケット９を下方から見た斜視図である図３に明確に示されている。
【００１３】
ファン装置２をホルダ５に取り付ける際には、まず、１つの凸状の係合部３を、一方の当接部である溝状の被係合部６Ａに嵌合させて摺動させながら、ファン装置２を収容凹部８内に挿入する。ファン装置２を収容凹部８内に挿入した状態で、他方の当接部である穴状の被係合部６Ｂ内にもう１つの凸状の係合部３を挿入させながら、ブラケット９をホルダ５に取り付ける。ブラケット９は、例えばねじ１３（図４参照）やピン等の固定部材を用いてホルダ５に固定される。なお、図２では、ホルダ５の３つの収容凹部８と１つのファン装置２およびブラケット９のみを示しているが、実際にはあと２つの同様なファン装置２およびブラケット９が取り付けられる。ホルダ５の３つの収容凹部８にそれぞれファン装置２およびブラケット９が取り付けられた状態を図４に示している。
【００１４】
このようにファン装置２をホルダ５に取り付けた状態で、凸状の係合部３は、溝状の被係合部６Ａおよび穴状の被係合部６Ｂの中で圧縮されて弾性変形した状態に保持される。ファン装置２の筐体７に設けられている２つの凸状の係合部３がそれぞれ圧縮された状態で保持されているため、凸状の係合部３はホルダ５およびブラケット９に対してそれぞれ反発力を加えている。従って、凸状の係合部３を有するファン装置２は、ホルダ５およびブラケット９に対して遊び無く密着した状態で保持される。ファン装置２の羽根部材１の振動は、凸状の係合部３の弾性によって吸収される。また、ファン装置２の筐体７が振動しようとしても、圧縮された凸状の係合部３の反発力で筐体７はホルダ５およびブラケット９に密着しているので、筐体７の振動は抑えられる。こうして、羽根部材１の振動が筐体７を介してホルダ５、ブラケット９および装置本体に伝播してそれらの振動を生じさせることが抑えられる。なお、前述したようにホルダ５およびブラケット９がほとんど振動しないため、ブラケット９をホルダ５に固定するねじ１３には振動はほとんど伝わらず、ねじ１３が経時的に緩むことが抑えられる。特に、本実施形態では、ねじ１３は間接的に筐体７の固定に寄与しており、ねじ１３が筐体７に直接係合することはなく、ねじ１３と筐体７の間にはブラケット９と弾性を有するクッション部である凸状の係合部３が介在する。従って、仮に筐体７が僅かに振動したとしても、その振動はブラケット９や凸状の係合部３が吸収して、ねじ１３には伝わりにくい。その結果、ねじ１３が経時的な緩みを引き起こすことはない。そして、ファン装置２に起因する騒音や異音の発生や、ファン装置２の装置本体への取付の信頼性の低下などの不具合を抑えることができる。また、本実施形態では、ファン装置２の筐体７の吐出口１０の周囲にクッション材１１を貼り付けているため、吐出口１０の周囲における振動のさらなる抑制に寄与するとともに、ファン装置２から吐出する冷却用の空気の漏れが抑えられる。
【００１５】
一方、図５に示す比較例のブロワーファン装置１０１は、ねじ１０２を用いて直接固定され、そのねじ止め方向と吐出口１０３の排気方向とは直交している。複数のファン装置１０１を縦に並べて配置する場合、各ファン装置１０１のねじ穴１０１ａが互いに重なり合って位置する。従って、ねじ１０２をねじ穴１０１ａに通してホルダ１０４に固定する作業を行うために大きなスペースが必要である。また、ファン装置１０１の筐体自体にねじ穴１０１ａを設ける部分が必要であり部品点数が増える。また、ファン装置１０１の筐体自体にねじ穴１０１ａを形成するため、ファン装置１０１の種類に応じてねじ１０２の種類が決まってしまい、専用のねじ１０２が必要になる可能性が高い。これに対し、本実施形態では、ホルダ５の収容凹部８に開口部からファン装置２を挿入する構成であるため、部品点数が減るとともに、各ファン装置２のねじ止め用のスペースが不要で、小型化が可能である。また、ファン装置２を直接ねじ止めしないため、ファン装置２の種類に合わせてねじの種類やねじ止め方向が限定されることはない。ブラケット９の固定にねじ１３が用いられるが、これはファン装置２に直接接触する部分ではないので、形状や寸法の自由度が大きく、任意のねじを用いることができる。その結果、筐体７の取付以外の用途のねじと共通化でき、生産性の向上とコストの削減が可能である。
【００１６】
本発明の回転体を有する部品の取付構造を含む電子装置の一例であるプロジェクターについて、以下に説明する。このプロジェクターは、主に光源と光学機構とを含む。具体的には、プロジェクターは、図６，７に示すように、光源部分２０と、照明部分３０と、結像部分４０と、投射レンズ４３と、冷却部５０と、を含む。光源部分２０は、光源（例えばレーザーダイオード）２１と、ダイクロイックミラー（ＤＭ）２２と、蛍光体２３と、各種のレンズ２４とを含む。主にダイクロイックミラー２２とレンズ２４との作用で、光源２１から出射されたレーザー光と、そのレーザー光を励起光として蛍光体２３から生じた蛍光とを、照明部分３０に送る。
【００１７】
照明部分３０は、インテグレータ３１と、偏光ビームスプリッタ（ＰＢＳ）３２と、カラーフィルター３３と、ミラー３４と、フィールドレンズ３５と、リレーレンズ３６とを含む。これらの光学部材の作用で、光源部分２０から入射したレーザー光と蛍光とに基づいて、３色の光を照明部分３０から出射して結像部分４０に入射させることができる。
【００１８】
結像部分４０は、１つのクロスダイクロイックプリズム（ＸＤＰ）４１と、その３つの面にそれぞれ対向するように配置された３つの変調素子（ＬＣＤ：液晶ディスプレイ）４２とを含む。クロスダイクロイックプリズム４１および変調素子４２を用いて、照明部分３０から入射した３色の光を合成するとともに、所望の画像を形成する。３色の光を合成して形成された画像を、クロスダイクロイックプリズム４１から出射する。結像部分４０から出射された画像は、投射レンズ４３から、図示しない外部スクリーン等に投射される。
【００１９】
本実施形態では、図６，７に示すように、光学機構の一部、例えば照明部分３０に対向する位置に、冷却部５０が設けられている。冷却部５０は、前記した３つのファン装置（例えばブロアーファン装置）２と、それらのファン装置２を収容するホルダ５とを含む。ファン装置２のホルダ５への取付機構は、図２，４に示す構成と実質的に同じである。この構成では、プロジェクターの内部の様々な部品、特に照明部分３０の各部品の過熱を防ぐために、冷却部５０のファン装置２から送風する。冷却風が送られる範囲５１を図６に示している。本実施形態の構成では、ファン装置２の羽根部材１の回転に伴う振動が、ホルダ５や装置本体を介して装置内部の他の部品にはあまり伝わらない。そのため、光学部品の振動や位置ずれに起因して光源２１から投射レンズ４３に至る光の経路の精度が低下することが抑えられる。また、騒音や異音の発生が抑えられる。さらに、ファン装置２をねじで直接固定する構成ではないため、専用のねじを用いる必要が無く、また、ねじが経時的に緩むことでファン装置２の固定の信頼性が低下することもない。本実施形態において用いられるねじ１３は、ファン装置２に直接接触するものではなく、ファン装置２の筐体７との間にはクッション部３とブラケット９が介在するため、ファン装置２の羽根部材１の回転に起因して緩む可能性は低い。
【００２０】
以上、回転体として羽根部材１を有する部品であるファン装置２の取付構造と、その取付構造を含むプロジェクターについて説明した。しかし、本発明はこのような構成に限定されず、様々な回転体を有するあらゆる部品に採用することができる。また、前述した実施形態では、クッション部として凸状の係合部３を設けているが、必ずしも凸状である必要はない。ゴムや多孔質体や織布や不織布等からなり弾性を有する様々な形状のクッション部３を設けることができる。好ましくは、部品２がホルダ５に装着された状態で、クッション部３は当接部に圧接されて弾性変形状態、特に圧縮状態で保持される。その場合、クッション部３の弾性で振動を吸収することができ、また、クッション部３の反発力のために部品２が振動しにくい状態で保持されるので、部品２からホルダ５および装置本体に振動が伝播する可能性が低い。このような効果を奏する上で、クッション部３と当接部は、必ずしも前述したような係合関係になくてもよい。当接部は、前述した溝状の被係合部６Ａまたは穴状の被係合部６Ｂに限られないが、クッション部３に圧接するものであることが好ましい。また、ホルダ５は装置本体に取り付けられたものであってもよいが、装置本体（例えばフレーム）に一体的に設けられたものであってもよい。その他、前述した実施形態に様々な変更を施すことが可能である。
【符号の説明】
【００２１】
１      羽根部材（回転体）
２      ファン装置（部品）
３      凸状の係合部（クッション部）
４      吸気口
５      ホルダ
６Ａ    溝状の被係合部（当接部）
６Ｂ    穴状の被係合部（当接部）
７      筐体
８      収容凹部
９      ブラケット
１０    吐出口
１１    クッション材
２０    光源部分
２１    光源
２２    ダイクロイックミラー
２３    蛍光体
２４    レンズ
３０    照明部分
３１    インテグレータ
３２    偏光ビームスプリッタ
３３    カラーフィルター
３４    ミラー
３５    フィールドレンズ
３６    リレーレンズ
４０    結像部分
４１    クロスダイクロイックプリズム
４２    変調素子
４３    投射レンズ
５０    冷却部
【図１】
2020086001.tif 000003
【図２】
2020086001.tif 000004
【図３】
2020086001.tif 000005
【図４】
2020086001.tif 000006
【図５】
2020086001.tif 000007
【図６】
2020086001.tif 000008
【図７】
2020086001.tif 000009